(57)【特許請求の範囲】
【請求項１】
第１の地点と第２の地点間で物品をやり取りする際に使用される通い袋であって、
物品を収容する収容部を内部に有した袋本体と、
該袋本体の外側に配設された透明部材で形成された単一のポケットと、
第１の地点を送付先として表示すると共に第２の地点を送付元として表示する第１表示部と、該第１表示部に隣接して第２の地点を送付先として表示すると共に第１の地点を送付元として表示する第２表示部とを一面に有し、該ポケット内に出し入れ可能に配設された一枚の送付先送付元明記部材と、
該送付先送付元明記部材を該ポケット内に挿入した際に該第１表示部と該第２表示部との間の該ポケットに一辺が接続され、該第１表示部を覆って該第１表示部を非表示とする第１被覆位置と該第２表示部を覆って該第２表示部を非表示とする第２被覆位置とにそれぞれ位置付け可能な不透明なカバー部材と、
該カバー部材を該第１被覆位置で固定する着脱可能な第１固定部材と、
該カバー部材を該第２被覆位置で固定する着脱可能な第２固定部材と、
を具備したことを特徴とする通い袋。
【発明の詳細な説明】
【技術分野】
【０００１】
本発明は、第１の地点と第２の地点間で書類や記憶ディスク等の物品をやり取りする際に使用される通い袋に関する。
【背景技術】
【０００２】
多くの企業において、本社と支店或いは営業所、工場或いは系列先間で書類や記憶ディスク等の物品をやり取りする際には主として封筒或いは袋等を使用している。しかし、その都度に発送者と受け取り先の記名が必要であり、その際新しい封筒又は袋等に記名するか或いは連絡袋等に記名した荷札等をつけるかして発送しているのが通常である。従って、記名の労力或いは新しい封筒、袋、荷札等の消耗が膨大であり、何れにしても不経済であるという問題がある。
【０００３】
この問題を解決するために、実公平１−２３９６１号公報には、送付先記名カードが挿入可能なポケットと発送者の記名カードが挿入可能なポケットを備え、作業者が発送の都度送付先を記入する手間を省いている連絡通い袋が開示されている。
【先行技術文献】
【特許文献】
【０００４】
【特許文献１】実公平１−２３９６１号公報
【発明の概要】
【発明が解決しようとする課題】
【０００５】
しかし、特許文献１に開示された通い袋では、第１地点から第２地点へと通い袋を送付した後、第２地点から第１地点へと送付し返す場合には、送付先記名カードを第１地点の送付先を明記したものに変更する必要があるため手間が掛かるという問題がある。更に、第１地点から第２地点へと送付した際に使用した第２地点を明記した送付先記名カードを第１地点へと返却しなければならなかった。
【０００６】
本発明はこのような点に鑑みてなされたものであり、その目的とするところは、手間を掛けずに容易に送付先を変更できる通い袋を提供することである。
【課題を解決するための手段】
【０００８】
本発明によると、第１の地点と第２の地点間で物品をやり取りする際に使用される通い袋であって、物品を収容する収容部を内部に有した袋本体と、該袋本体の外側に配設された透明部材で形成された単一のポケットと、第１の地点を送付先として表示すると共に第２の地点を送付元として表示する第１表示部と、該第１表示部に隣接して第２の地点を送付先として表示すると共に第１の地点を送付元として表示する第２表示部とを一面に有し、該ポケット内に出し入れ可能に配設された一枚の送付先送付元明記部材と、該送付先送付元明記部材を該ポケット内に挿入した際に該第１表示部と該第２表示部との間の該ポケットに一辺が接続され、該第１表示部を覆って該第１表示部を非表示とする第１被覆位置と該第２表示部を覆って該第２表示部を非表示とする第２被覆位置とにそれぞれ位置付け可能な不透明なカバー部材と、該カバー部材を該第１被覆位置で固定する着脱可能な第１固定部材と、該カバー部材を該第２被覆位置で固定する着脱可能な第２固定部材と、を具備したことを特徴とする通い袋が提供される。
【発明の効果】
【０００９】
本発明の通い袋によると、送付先を第１の地点と第２の地点との間で変更するにはカバー部材をそれぞれ第２被覆位置と第１被覆位置に位置付けて固定するだけなので、容易に送付先を変更することができ、第１の地点と第２の地点との間で新たに記名を要することなく何度でも使用することができる。
【００１０】
更に、透明ポケット内に送付先送付元明記部材を挿入するように構成したので、送付先送付元明記部材を変更することにより複数の送付先とのやりとりに使用することができる。
【図面の簡単な説明】
【００１１】
【図１】図１（Ａ）は本発明第１実施形態の通い袋の表側斜視図、図１（Ｂ）は裏側を示す正面図である。
【図２】図２（Ａ）はカバー部材を第２被覆位置に固定した状態の第１実施形態の通い袋の正面図、図２（Ｂ）はカバー部材を第１被覆位置に固定した状態の第１実施形態の通い袋の正面図である。
【図３】第２実施形態の通い袋の斜視図である。
【発明を実施するための形態】
【００１２】
以下、本発明の実施形態を図面を参照して詳細に説明する。図１（Ａ）を参照すると、本発明第１実施形態に係る通い袋２の表側斜視図が示されている。図１（Ｂ）は通い袋２の裏面側正面図である。
【００１３】
通い袋２は物品を収容する収容部５を内部に有した袋本体４を備えている。袋本体４の表面側には第１の地点を送付先として表示する第１表示部６と、第１表示部６に隣接して第２の地点を送付先として表示する第２表示部８が配設されている。袋本体４は紙、布、樹脂等で形成されている。
【００１４】
１０は不透明なカバー部材であり、袋本体４の第１表示部６と第２表示部８との間にその一辺１２が接続されている。カバー部材１０は、第１表示部６を覆って第１表示部６を非表示とする図２（Ｂ）に示す第１被覆位置２６と、第２表示部８を覆って第２表示部８を非表示とする図２（Ａ）に示す第２被覆位置２８とにそれぞれ位置付け可能である。カバー部材１０は不透明な紙、樹脂等から形成される。
【００１５】
カバー部材１０の第１面１０ａには第１係合部１４が形成されており、図２（Ｂ）に示す第２面１０ｂには第２係合部１８が形成されている。一方、通い袋２の袋本体４には、カバー部材１０の第１係合部１４が係合する第１被係合部１６と、カバー部材１０の第２係合部１８が係合する第２被係合部２０が形成されている。第１、第２係合部１４，１８及び第１、第２被係合部１６，２０は例えばスナップ、テープ、マジックテープ等から形成される。
【００１６】
第１係合部１４と第１被係合部１６とで第１固定部材を構成し、第２係合部１８と第２被係合部２０とで第２固定部材を構成する。
【００１７】
図１（Ｂ）を参照すると、袋本体４の裏面側には袋本体４の開口部を開閉する蓋２２が袋本体４と一体的に形成されている。２４は閉じた蓋２２を閉じた状態で固定する閉じ部である。閉じ部２４は、スナップ、テープ、マジックテープ等から形成してもよい。
【００１８】
以下、このように構成された通い袋２の使用方法について説明する。通い袋２を大阪支店から本社に発送する場合には、通い袋２の袋本体４内に書類、記憶ディスク等の物品を入れた後、閉じ部２４で蓋２２を閉じ、図２（Ａ）に示すように、カバー部材１０を第２被覆位置２８に倒して第２表示部８をカバー部材１０で覆い、第２係合部１８を第２被係合部２０に係合する。これにより、第２表示部８が非表示となるため、通い袋２は第１表示部６に表示された本社に向けて発送される。
【００１９】
本社から大阪支店に向けて通い袋２を発送する場合には、図２（Ｂ）に示すように、カバー部材１０を第１被覆位置２６に倒してカバー部材１０で第１表示部６を覆って第１表示部６を非表示とし、第１係合部１４を第１被係合部１６に係合する。これにより、第１表示部６が非表示となるため、通い袋２は第２表示部８に示された大阪支店に向けて発送される。
【００２０】
本実施形態の通い袋２によると、送付先を第１の地点である本社と第２の地点である大阪支店との間で変更するのは、カバー部材１０をそれぞれ第２被覆位置２８と第１被覆位置２６に位置付けて固定するだけなので、何ら新たな記名を要することなく容易に二地点の間で送付先を変更することができる。
【００２１】
図３を参照すると、本発明第２実施形態の通い袋２Ａの表面側斜視図が示されている。本実施形態の説明において、図１に示した第１実施形態と実質的に同一部分については同一符号を付して説明する。通い袋２Ａは書類、記憶ディスク等の物品を収容する収容部を内部に有した袋本体４を備えている。
【００２２】
袋本体４の表側には樹脂等の透明部材で形成されたポケット３０が配設されている。袋本体４の背面側には蓋２２及び図１（Ｂ）に示したのと同様な閉じ部２４が形成されている。
【００２３】
３２は紙、樹脂等から形成された送付先送付元明記部材であり、第１の地点を送付先として表示する第１表示部６Ａと、第１表示部６Ａに隣接して第２の地点を送付先として表示する第２表示部８Ａとが書き込まれている。
【００２４】
ポケット３０には、送付先送付元明記部材３２をポケット３０の開口部３０ａを介してポケット３０内に挿入した際に、第１表示部６Ａと第２表示部８Ａとの間に一辺１２が接続され、第１表示部６Ａを覆って第１表示部６Ａを非表示とする第１被覆位置２６と、第２表示部８Ａを覆って第２表示部８Ａを非表示とする第２被覆位置２８とにそれぞれ位置付け可能な不透明なカバー部材１０が配設されている。
【００２５】
カバー部材１０の第１面１０ａには第１係合部１４が設けられ、カバー部材１０の第２面１０ｂには図２（Ｂ）に示すようなカバー部材１８が設けられている。一方、透明ポケット３０にはカバー部材１０が第１表示部６Ａを覆った際に第１係合部１４に係合してカバー部材１０を固定する第１被係合部１６が設けられており、カバー部材１０が第２表示部８Ａを覆った際に第２係合部１８に係合してカバー部材１０を固定する第２被係合部２０が設けられている。
【００２６】
第１係合部１４と第１被係合部１６とで第１固定部材を構成し、第２係合部１８と第２被係合部２０とで第２固定部材を構成する。
【００２７】
以下、このように構成された通い袋２Ａの使用方法について説明する。まず、送付先送付元明記部材３２を矢印Ａに示すように通い袋２Ａのポケット３０の開口部３０ａからポケット３０内に挿入する。
【００２８】
送付先として第１表示部６Ａに示された営業部を選択する場合には、カバー部材１０を第２被覆部２８に位置付けて第２表示部８Ａを非表示として、通い袋２Ａを財務部から第１表示部６Ａに表示された営業部に送付する。
【００２９】
反対に、営業部から財務部に通い袋２Ａを送付する場合には、カバー部材１０を第１被覆部２６に位置付けてカバー部材１０で第１表示部６Ａを覆って第１表示部６Ａを非表示とする。そして、通い袋２Ａを第２表示部８Ａに表示された財務部に向けて送付する。
【００３０】
本実施形態の通い袋２Ａでは、透明ポケット３０内に送付先送付元明記部材３２を挿入するようにしたので、それぞれ宛先の異なる複数の送付先送付元明記部材３２を用意しておき、送付先送付元明記部材３２を変更することにより複数の送付先とのやり取りに通い袋２Ａを使用することができる。
【符号の説明】
【００３１】
２，２Ａ    通い袋
４    袋本体
６，６Ａ    第１表示部
８，８Ａ    第２表示部
１０    カバー部材
１４    第１係合部
１６    第１被係合部
１８    第２係合部
２０    第２被係合部
２６    第１被覆位置
２８    第２被覆位置
３０    透明ポケット
３２    送付先明記部材
【図１】
0005822646.tif 000002
【図２】
0005822646.tif 000003
【図３】
0005822646.tif 000004